(57)【要約】    【課題】  着信を演出して使用者に知らせる通信装置を提供する。    【解決手段】  通信装置２の通信部10が、他の通信装置３，４から着信を受けると、電話なら着信相手判別手段12が電話番号から当該着信相手を判別し、一方、電子メールなら着信相手判別手段12がメールアドレスから当該着信相手を判別する、又はキーワード判別手段13がメール本文からキーワードを判別する。これらの判別結果を基に、動画データ検索手段14が記憶装置20の着信設定データベース21からこれに対応する動画データを検索する。続いて、動画表示手段15が動画データ検索手段14の検索結果に該当する動画データを記憶装置20の動画データフォルダ22から読み込み、動画表示手段15が動画データを表示部26で動画として再生表示する。【選択図】  図３
2006203524.tif 000002
【特許請求の範囲】
【請求項１】
他の通信装置より着信した情報から特定情報を判別する着信判別手段と、前記特定情報に対応する動画を検索する動画検索手段と、前記動画検索手段により検索した動画を表示する動画表示手段とを備えたことを特徴とする通信装置。
【発明の詳細な説明】
【技術分野】
【０００１】
本発明は、動画を表示可能な例えば携帯電話やパーソナルコンピュータ（以下、パソコンという）などの通信装置に関する。
【背景技術】
【０００２】
近年、携帯電話やパソコン等の通信装置が急速に普及し、携帯電話による通話やパソコンによる電子メールが一般的な情報伝達手段になっている。とりわけ、携帯電話においては、データ通信，Ｗｅｂサイト閲覧機能などの高機能化が進み、携帯電話の画面上で動画を表示することも可能になっており（例えば特許文献１）、パソコンに近い機能を有する携帯情報端末としての地位を確立しつつある。また、携帯電話では、従来の通話と共に電子メールの送受信も可能になっている。このような通信装置に電話の着呼や電子メールの受信（以下、これらを総称して着信という）があると、その電話番号やメールアドレス、又はそれらに関連付けられた名前が通信装置の画面上で表示されることで、誰からの着信であるかが使用者にわかるようになっている（例えば特許文献２）。
【特許文献１】特開２００３−２３０１１７号公報
【特許文献２】特開２００４−３２０６１９号公報
【特許文献３】特開２００３−３４５３６８号公報
【発明の開示】
【発明が解決しようとする課題】
【０００３】
しかし、従来の通信装置では、電話や電子メールの着信が誰からのものかは、画面上に表示された電話番号やアドレス、又はそれらに関連付けられた名前などの文字情報でしか分からず、着信の通知が無味乾燥なものでしかなかった。携帯電話では、着信音やいわゆる着信メロディなどで使用者に着信があったことを知らせているが、聴覚的なものでしかなく、さらに着信を楽しく，ドラマチックに通知するものが望まれていた。
【０００４】
そこで本発明は上記問題点に鑑み、着信を演出して使用者に知らせる通信装置を提供することを目的とする。
【課題を解決するための手段】
【０００５】
本発明における請求項１の通信装置では、他の通信装置より着信した情報から特定情報を判別する着信判別手段と、前記特定情報に対応する動画を検索する動画検索手段と、前記動画検索手段により検索した動画を表示する動画表示手段とを備えている。
【０００６】
このようにすると、他の通信装置から情報を着信した際に、例えば着信相手や前記情報に含まれる文字情報などの着信内容に応じて種々の動画が表示され、他の通信装置からの着信を演出して使用者に知らせることができる。
【発明の効果】
【０００７】
本発明の請求項１によると、着信を演出して使用者に知らせる通信装置を提供することができる。
【発明を実施するための最良の形態】
【０００８】
以下、添付図面を参照しながら、本発明における通信装置の好ましい実施例を説明する。
【０００９】
図１は、本発明における通信装置を使用した通信システムの一形態を示す説明図である。
【００１０】
１は各種の動画データを記憶，管理及び配信する動画配信装置としてのサーバであり、２〜４は各ユーザに使用される例えば携帯電話やパソコンなどの通信装置である。本実施例では、ユーザＡの通信装置２が本発明における通信装置に該当する。各ユーザの通信装置２〜４では、例えば電話や電子メールなどで互いに通信することが可能である。すなわち、ユーザＡの通信装置２は、他の通信装置３，４から情報を着信することが可能になっている。また、サーバ１と通信装置２〜４とは、例えば携帯電話交換機やプロバイダなどを介してインターネットなどの通信回線網（図示せず）で相互に接続される。
【００１１】
サーバ１に格納された動画データは、通信装置３，４からアップロードされたものであり、図１では、ユーザＢの通信装置３からアップロードされた２つの動画データをユーザＢ００１，ユーザＢ００２と表記し、ユーザＣの通信装置４からアップロードされた１つの動画データをユーザＣ００１と表記している。ここで、動画データとは、ユーザＡの通信装置２で再生表示可能な形式のデータ（音データも含む）であり、例えば、デジタルビデオカメラなどの撮像手段で撮影したものや、ＣＧ（computer graphics）などで作成されたものなどである。この動画データの形式としては、データ容量の縮小化及びデータ送信の高速化から例えばＭＰＥＧ（Moving Picture Expert Group）４などの国際規格に準拠して圧縮されたものが好ましい。もちろん他のデータ形式でもよいことは言うまでもない。
【００１２】
前記動画データを通信装置３，４からサーバ１にアップロードする技術としては、例えば上記特許文献３に開示されるようなものがある。すなわち、通信装置３，４のアップロード手段（図示せず）により動画データがサーバ１にアップロードされる。その際、アップロード手段は、例えばアップロード元の電話番号やメールアドレスや各通信装置（通信装置２，３，４等）の所有者の氏名などの付加情報を併せてアップロードする。サーバ１は、各通信装置からランダムに送られてくる動画データや付加情報を例えばハードディスクなどの記憶手段に順次記憶して、これらを一元管理する。もちろん、他の周知技術を利用しても良い。
【００１３】
ユーザＡの通信装置２は、サーバ１に格納された動画データをダウンロードすることができ、通信装置２からサーバ１へ配信要求が送信されると、所望の動画データがサーバ１から通信装置２へダウンロードされる構成になっている。
【００１４】
ユーザＡの通信装置２の構成について、図２を参照しながら説明する。
【００１５】
図２は、ユーザＡの通信装置２の構成を示したブロック図である。
【００１６】
通信装置２は、例えば電話や電子メールなどにより他の通信装置３，４と相互に通信が可能な通信部10と、例えばＣＰＵやマイクロコンピュータなどからなる後述する制御部11と、例えばハードディスクや半導体メモリなどの記憶装置20と、ユーザＡの入力操作を操作信号として制御部11に伝達する操作部25と、例えば液晶画面などの動画を表示可能な表示部26とから構成される。なお、携帯電話やパソコンなどを構成する他の構成部は都合上省略している。
【００１７】
制御部11は、他の構成部を有機的に結合して一連の着信処理を行うものであり、例えば着信先の電話番号やメールアドレスなどから着信相手（例えば名前など）を判別する着信相手判別手段12と、例えば着信した電子メールの本文などから特定のキーワードを判別するキーワード判別手段13と、予めユーザＡなどにより設定された着信設定に基づいて着信内容に対応する動画データを記憶装置20から検索する動画検索手段としての動画データ検索手段14と、動画データをデコード（復号化）して表示部26で動画を再生表示する動画表示手段15と、操作部25から入力されたユーザＡの操作内容に従い前記着信設定を更新する着信設定手段16と、サーバ１から所望の動画データ（例えばユーザＢ００１）をダウンロードして記憶装置20に格納する動画データダウンロード手段17とから構成される。なお、本実施例では、着信相手判別手段12とキーワード判別手段13が着信判別手段に該当する。前記着信設定は、着信相手や電子メールの本文に含まれる特定のキーワードなどの着信内容（着信した情報）に含まれる特定情報と、記憶装置20の動画データフォルダ22に格納された所望の動画データ（例えばユーザＢ００１）とを関連付けたものであり、記憶装置20に着信設定データベース21として体系的に記憶されている。もちろん、着信先の電話番号やメールアドレスをそのまま用いて個別に動画データと関連付けてもよい。
【００１８】
次に、本発明における通信装置２の作用について、図３を参照しながら説明する。
【００１９】
図３は、通信装置２が他の通信装置３，４から着信を受けた際の動画表示処理を示すフロー図である。
【００２０】
前提条件として、ユーザＡは、操作部25により前述した着信設定を行なう必要がある。その際、操作部25の操作内容は制御部11の着信設定手段16に入力され、電話番号やメールアドレスなど着信相手を特定する情報や、電子メールの本文に含まれる特定のキーワードなどの情報と、記憶装置20の動画データフォルダ22に格納された所望の動画データとが関連付けられて着信設定データベース21に登録される。例えば、ユーザＢの通信装置３に割り当てられた電話番号には、ユーザＢ００１の動画データを設定し、同じくメールアドレスには、ユーザＢ００２の動画データを設定する。または、電話番号とメールアドレスの上位分類となる着信相手ユーザＣに、ユーザＣ００１の動画データを設定する。その他、電子メールの本文に含まれる特定のキーワードとしては、例えば、キーワード「誕生日おめでとう」に対して、誕生祝い用の動画データ（図示せず）を設定する。
【００２１】
また、ユーザＡは、サーバ１から所望の動画データを通信装置２にダウンロードする必要がある。具体的には、ユーザＡは操作部25を操作し、動画データダウンロード手段17により、サーバ１から動画データをダウンロードし、記憶装置20の動画データフォルダ22に格納する。ユーザＡがサーバ１から動画データをダウンロードしなくても当該機能を使用可能なように、予め製造者などが最低限の動画データを保存しておくのが好ましい。
【００２２】
通信装置２の通信部10が、他の通信装置３，４から着信を受けると（ステップＳ50）、制御部11により着信内容の判別が行なわれる。すなわち、電話なら着信相手判別手段12が電話番号から当該着信相手を判別し（ステップＳ53）、一方、電話ではない、すなわち電子メールなら着信相手判別手段12がメールアドレスから当該着信相手を判別する、又はキーワード判別手段13がメール本文からキーワードを判別する（ステップＳ52）。これらの判別結果である特定情報を基に、動画データ検索手段14が記憶装置20の着信設定データベース21からこの特定情報に対応する動画データを検索する（ステップＳ54）。続いて、動画表示手段15が、動画データ検索手段14の検索結果に該当する動画データを記憶装置20の動画データフォルダ22から読み込み（ステップＳ55）、動画データをデコードして表示部26で動画として再生表示する（ステップＳ56）。
【００２３】
このようにして、通信装置２は、他の通信装置３，４から着信を受けると、予め設定された着信設定に従い、その着信内容に応じた種々の動画データを表示部26で動画として再生表示することにより、当該着信を演出してユーザＡに知らせることができる。また、電子メールの本文に含まれる例えば誕生祝い・病気見舞・四季の挨拶などのグリーティングメッセージ（種々の挨拶文）に、それに対応するグリーティング動画データを関連付けることで、電子メールによる文字だけのグリーティングメッセージを演出して、ユーザＡに送ることができる。
【００２４】
以上のように本実施例の通信装置２では、他の通信装置３，４より着信した情報から特定情報を判別する着信判別手段としての着信相手判別手段12，キーワード判別手段13と、前記特定情報に対応する動画を検索する動画検索手段としての動画データ検索手段14と、動画データ検索手段14により検索した動画を表示する動画表示手段15とを備えている。
【００２５】
このようにすると、他の通信装置３，４から情報を着信した際に、例えば着信相手や前記情報に含まれる文字情報などの着信内容に応じて種々の動画が表示され、他の通信装置３，４からの着信を演出して使用者に知らせることができる。従って、着信を演出して使用者に知らせる通信装置２を提供することができる。
【００２６】
なお、本発明は、上記実施例に限定されるものではなく、本発明の趣旨を逸脱しない範囲で変更可能である。通信装置２がサーバ１から動画データをダウンロードする際に、一緒にその動画データをアップロードした通信装置の情報をダウンロードさせ、通信装置２が着信した着信相手と動画データをアップロードした通信装置が一致しないと再生できないようにロックするよう、動画表示手段15などを構成してもよい。
【図面の簡単な説明】
【００２７】
【図１】本実施例における通信装置を使用した通信システムの一例を示す説明図である。
【図２】同上、通信装置の構成を示すブロック図である。
【図３】同上、通信装置の着信動画表示処理を示すフロー図である。
【符号の説明】
【００２８】
２  通信装置
３，４  通信装置（他の通信装置）
12  着信相手判別手段（着信判別手段）
13  キーワード判別手段（着信判別手段）
14  動画データ検索手段（動画検索手段）
15  動画表示手段
【図１】
2006203524.tif 000003
【図２】
2006203524.tif 000004
【図３】
2006203524.tif 000005